(57)【要約】【目的】  本発明の目的は、暗い環境の中であっても作業を行うことができる安価な作業用の手袋を提供することにある。【構成】  作業用の手袋は、少なくとも手袋本体１００の親指部分１０１、人指し指部分１０２及び／又は中指部分１０３に沿って光ファイバー２００が設けられており、この光ファイバー２００は、照射側端面２２０が親指部分１０１、人指し指部分１０２及び／又は中指部分１０３の指先方向に向いていることを特徴としている。【選択図】      図１
2005146424.tif 000002
【特許請求の範囲】
【請求項１】
少なくとも手袋本体の親指部分、人指し指部分及び／又は中指部分に沿って光ファイバーが設けられており、この光ファイバーの照射側端面が前記親指部分、人指し指部分及び／又は中指部分の指先方向に向いていることを特徴とする作業用の手袋。
【請求項２】
請求項１記載の作業用の手袋において、少なくとも手袋本体の親指部分、人指し指部分及び／又は中指部分が多層構造になっており、その間に前記光ファイバーが設けられていることを特徴とする作業用の手袋。
【請求項３】
請求項１記載の作業用の手袋において、前記親指部分、人指し指部分及び／又は中指部分の手の甲側には、前記光ファイバーを通すための通路が設けられていることを特徴とする作業用の手袋。
【請求項４】
請求項１又は２記載の作業用の手袋において、前記親指部分、人指し指部分及び／又は中指部分の先端部には、前記光ファイバーの照射側端面が露出するように切り欠かれていることを特徴とする作業用の手袋。
【請求項５】
指の第１関節と第２関節との間に装着されるリングであって、その外周面に光ファイバーの先端部が固定されており、且つ当該光ファイバーの照射側端面が指先方向に向けられていることを特徴とする作業用のリング。
【発明の詳細な説明】
【技術分野】
【０００１】
本発明は作業用の手袋及び作業用のリングに関する。
【背景技術】
【０００２】
工場等では、通常天井に設けられた照明設備のみであり、半田付けや部品の組立等の作業をするに当たって、手元を照らすことができる作業に適した照明を得ることができない。このような問題を解決するために、工場に作業中の手元を照らす別の照明設備を設置したり、工具に照明手段を設けたりすることが考えられている( 特許文献１) 。
【０００３】
【特許文献１】特開平０８−０２５２３８号公報
【発明の開示】
【発明が解決しようとする課題】
【０００４】
ところが、工場に別の照明設備を設置したとしても、作業者が決められた場所で作業を行うとは限らないことから、採用することは困難である。一方、前記工具を使用した場合、任意の場所で作業を行うことができるが、作業に使用する全ての工具に照明手段を設ける必要があることから、コスト高になる。
【０００５】
本発明は、上記事情に鑑みて創案されたものであって、その目的とするところは、暗い環境の中でも作業を行うことができる安価な作業用の手袋及び作業用のリングを提供することにある。
【課題を解決するための手段】
【０００６】
上記課題を解決するために、本発明の作業用の手袋は、少なくとも手袋本体の親指部分、人指し指部分及び／又は中指部分に沿って光ファイバーが設けられており、この光ファイバーの照射側端面が前記親指部分、人指し指部分及び／又は中指部分の指先方向に向いていることを特徴としている。
【０００７】
手袋本体の親指部分、人指し指部分及び／又は中指部分を多層構造とし、この間に前記光ファイバーを設けるようにしている。
【０００８】
或いは、前記親指部分、人指し指部分及び／又は中指部分の手の甲側に通路を設け、この通路内に光ファイバーを通すこともできる。
【０００９】
前記親指部分、人指し指部分及び／又は中指部分の照射側端面は、前記光ファイバーの照射側端面が露出するように切り欠かれている。
【００１０】
本発明の作業用のリングは、指の第１関節と第２関節との間に装着されるリングであって、その外周面に光ファイバーの先端部が固定されており、且つ当該光ファイバーの照射側端面が指先方向に向けられている。
【発明の効果】
【００１１】
本発明の請求項１乃至４に係る作業用の手袋による場合、親指部分、人指し指部分及び／又は中指部分に沿って設けられた光ファイバーの照射側端面が各指部分の指先方向に向けられているので、作業を行うに当たって、手元を照らすことができる。即ち、暗い環境の中でも作業に適した照明を容易に得ることができるので、作業の効率化を図ることができる。
【００１２】
本発明の請求項５に係る作業用のリングによる場合、作業用の手袋と同様の効果を奏する。
【発明を実施するための最良の形態】
【００１３】
以下、本発明の実施の形態に係る作業用の手袋について図面を参照しながら説明する。図１は本発明の実施の形態に係る作業用の手袋の模式的正面図、図２は同手袋のａーａ断面図、図３は同手袋の設計変形例を示すａーａ断面図である。
【００１４】
図１に示す作業用の手袋は手袋本体１００の親指部分１０１、人指し指部分１０２及び中指部分１０３に沿って光ファイバー２００、２００、２００が設けられている。
【００１５】
光ファイバー２００、２００、２００については市販品が用いられており、その接続側端面２１０、２１０、２１０が発光手段３００に接続されている。この発光手段の３００の光源３１０の照射光が光ファイバー２００、２００、２００を通って、照射側端面２２０、２２０、２２０から照射されるようになっている。
【００１６】
発光手段３００は、光ファイバー２００の接続側端面２１０、２１０、２１０と対向配置されるＬＥＤ等の光源３１０、３１０、３１０と、この光源３１０、３１０、３１０を発光させるための例えば、電池等の電源３２０と、電源３２０のＯＮ／ＯＦＦを行うための電源スイッチ３３０とを有する構成となっている。即ち、電源スイッチ３３０をＯＮ状態とすることにより、光源３１０、３１０、３１０が発光するのである。
【００１７】
手袋本体１００は、図２に示すように、２枚の手袋１１０、１２０を重ね合わせて構成されている。即ち、２層構造になっているのである。手袋１１０、１２０の間には、図１及び２に示すように、光ファイバー２００、２００、２００が手の甲側に位置し、且つ当該光ファイバー２００、２００、２００の照射側端面２２０、２２０、２２０が親指部分１０１、人指し指部分１０２及びは中指部分１０３の指先方向に向くように設けられる。手袋本体１００の表側の手袋１１０の親指部分１０１、人指し指部分１０２及び中指部分１０３の先端部には、光ファイバー２００、２００、２００の照射側端面２２０、２２０、２２０を露出させるための切欠き部１１１、１１２、１１３が設けられている。このようにして光ファイバー２００、２００、２００の光が親指部分１０１、人指し指部分１０２及び中指部分１０３の先端部から指先方向に照射されるのである。
【００１８】
このような作業用手袋は以下のように製造される。まず、手袋１１０と手袋１２０とを重ね合わせ、２層構造とする。その後、手袋１１０と手袋１２０との間に接続側端面から親指部分１０１、人指し指部分１０２及び中指部分１０３に向けて光ファイバー２００、２００、２００を順次挿入する。そして、この光ファイバー２００、２００、２００の照射側端面２２０、２２０、２２０を手袋１１０の切欠き部１１１、１１２、１１３にそれぞれ挿入し、露出させる。この状態で、手袋１１０と手袋１２０とを圧着させたり縫い合わせたりする。これのようにして光ファイバー２００が動かないように位置決めされる。
【００１９】
このように構成された作業用の手袋による場合、ドライバや半田コテ等の工具を用いて作業を行うにあたって、光ファイバー２００、２００、２００の照射側端面２２０、２２０、２２０から照射される光で手元を照らすことができる。即ち、暗い環境の中でも作業に適した照明を容易に得ることができるので、作業の効率化を図ることができる。
【００２０】
手袋本体１００については、手袋１１０と手袋１２０とを重ね合わせて構成しているとしたが、これに限定されることなく、例えば、複数の手袋を重ね合わせた多層構造とすることも可能である。この場合、いずれかの層の間に光ファイバー２００を設けるようにする。また、図３に示すように、一層からなる手袋本体１００の例えば、親指部分１０１に光ファイバー２００を通す通路１３０を形成するようにしても良い。この場合、手袋本体１００の手の甲側に長尺状の布状の素材を貼り付け、通路１３０を形成する。
【００２１】
また、手袋本体１００の手袋１１０の親指部分１０１、人指し指部分１０２及び中指部分１０３の先端部には、切欠き部１１１、１１２、１１３が設けられるとしたが、設けるか否かは任意である。このようにした場合、光ファイバー２００の照射側端面２２０から照射される光は手袋本体１００の手袋１１０の親指部分１０１、人指し指部分１０２及び中指部分１０３の先端部を透過する。
【００２２】
光ファイバー２００は、少なくとも指部に沿って設けられていれば良く、この場合、例えば、指部の付け根あたりにも切欠き部を設け、この切欠き部から光ファイバー２００の接続側端面２１０を出すようにすることもできる。
【００２３】
光ファイバー２００については、親指部分１０１、人指し指部分１０２及び中指部分１０３のいずれか一箇所に沿って設けられていれば良く、５指全てに沿って設けることも当然可能である。
【００２４】
以下、本発明の実施の形態に係る作業用のリングについて図面を参照しながら説明する。図４は本発明の実施の形態に係る作業用のリングを説明するための図であって、( ａ) が概略的正面図、( ｂ) が概略的側面図である。
【００２５】
図４に示す作業用のリングは、指に装着されるリング本体４００と、リング本体４００の外周面に取り付けられる光ファイバー２００とを有する構成となっている。なお、光ファイバー２００及び発光手段３００については、作業用の手袋と同じものを使用しているので、重複する部分については説明を省略する。以下、各部を詳しく説明する。
【００２６】
リング本体４００は、指の第１関節と、第２関節との間に装着できるものであればどのようなものを用いてもかまわない。例えば、金属製のリング、プラスチック製のリング、革製のリング等である。このリング本体４００の頂部には光ファイバー２００の先端部が挿入される嵌合孔４１０が設けられている。この嵌合孔４１０に光ファイバー２００の先端部が嵌まり込むことによって、当該光ファイバー２００の照射側端面２２０が指先方向に向けて固定されるのである。
【００２７】
このように構成された作業用のリングによる場合、ドライバや半田コテ等の工具を用いて作業を行うにあたって、光ファイバー２００の照射側端面２２０から照射される光で手元を照らすことができる。即ち、暗い環境の中でも作業に適した照明を得ることができるので、作業の効率化を図ることができる。
【図面の簡単な説明】
【００２８】
【図１】本発明の実施の形態に係る作業用の手袋の模式的正面図である。
【図２】同手袋のａーａ断面図である。
【図３】同手袋の設計変形例を示すａーａ断面図である。
【図４】本発明の実施の形態に係る作業用のリングを説明するための図であって、( ａ) が概略的正面図、( ｂ) が概略的側面図である。
【符号の説明】
【００２９】
１００  手袋本体
１１０  手袋
１２０  手袋
１０１  親指部分
１０２  人指し指部分
１０３  中指部分
２００  光ファイバー
３００  発光手段
４００  リング本体
【図１】
2005146424.tif 000003
【図２】
2005146424.tif 000004
【図３】
2005146424.tif 000005
【図４】
2005146424.tif 000006